(57)【要約】【課題】上蓋と係合バンドの突起を大きくしなくてもいたずらによる上蓋の開封を確実に防止でき、生産性の歩留まり率を向上させることができ、且つ未開封証明性に優れ、しかも閉蓋時のキャップ本体外周面に付着している付着液が前方に飛散することが防止できるヒンジキャップを提供する。【解決手段】上蓋３のヒンジ連結部と反対側に形成された指掛け片２０の下面に垂下する舌片２２を設け、且つキャップ本体２のスカート壁５に、スカート壁外周面との間に舌片２２が挿入できる隙間を有するように少なくとも片端部がスカート壁と弱化線を介して連結されているタンパーエビデントバンド２１を設け、該タンパーエバデントバンドの上部に指掛け片２０に指が掛かるのを邪魔する指掛け片係合邪魔突起２８を突出形成することによって、ＴＥバンドを破断しない限り、指掛け片２０の先端部に指がかからないようにした。【選択図】        図１
2004155488.tif 000002
【特許請求の範囲】
【請求項１】
容器口に装着されるキャップ本体と該キャップ本体にヒンジ連結された上蓋とからなるヒンジキャップにおいて、前記上蓋のヒンジ連結部と反対側に形成された指掛け片の下面に下方に突出する舌片を設け、且つ前記キャップ本体のスカート壁に、前記スカート壁外周面との間に前記舌片が挿入できる隙間を有するように少なくとも片端部がスカート壁と弱化線を介して連結されているタンパーエビデントバンドを設けてなり、該タンパーエバデントバンドは上部に前記指掛け片に指が掛かるのを邪魔する指掛け片係合邪魔突起を有していることを特徴とするヒンジキャップ。
【請求項２】
前記タンパーエビデントバンドは、スカート壁外周面との間で前記舌片が嵌合係止する隙間を形成するための帯状の舌片嵌合係止壁部と、上面が指掛け片下面と同形状に形成された指掛け片座部と、該指掛け片座部の外周部から直立して閉蓋状態で前記指掛け片の外周面を囲って未開封状態で前記指掛け片外周面に指が直接係合するのを阻止する指掛け片係合邪魔突起とを有している請求項１に記載のヒンジキャップ。
【請求項３】
前記指掛け片係合邪魔突起に開蓋時にＴＥバンドを除去する際の摘み部となるタブを設けてなる請求項２に記載のヒンジキャップ。
【請求項４】
前記舌片は、前記指掛け片の下面に略３０°〜９０°の範囲に渡って円弧状に突出形成され、且つその外周面に前記タンパーエビデントバンドに形成された係合顎部に係止する係止突条が形成されてなる請求項１〜３何れかに記載のヒンジキャップ。
【発明の詳細な説明】
【０００１】
【発明の属する技術分野】
本発明は、上蓋にタンパーエビデント性（以下、ＴＥ性という。）を付加したヒンジキャップに関する。
【０００２】
【従来の技術】
容器口に打栓により嵌合装着されるキャップ本体と、該キャップ本体にヒンジ連結された上蓋とからなり、キャップ本体の天壁にプルリングにより注出口を破断開口する構造のキャップの場合、流通過程でいたずら等によって上蓋の開蓋があってもスコアの破断がない限り密封性は保たれるが、流通過程で上蓋が自由に開閉できると、いたずらによりスコアが破断されていても上蓋を閉じた状態では外部より判別できないので、上蓋にもＴＥ性を有していることが望ましい。このようなＴＥ性を持たせる手段として、一般的には上蓋を含む容器口をシュリンクフィルムで包装することが行われているが、この場合容器の密封工程で、キャッピング工程のほかにさらにシュリンク工程が必要となり、工程数が増えるという問題点がある。
【０００３】
この問題点を解決するための従来技術として、例えば、キャップ本体の外周に、該キャップ本体と間隔を存して対向しかつ両端がキャップ本体と弱化線を介して連結した帯片を一体に形成すると共に、上蓋にはキャップ本体と被冠させたときに前記帯片とキャップ本体との間に挿入される掛止爪を一体に形成し、閉蓋状態で帯片と掛止爪を係止させ、上蓋を開けたときに帯片の一端側の弱化線が破断されることにより、上蓋が開けられたことを容易に知ることができるようにしたものが提案されている（例えば、特許文献１〜３参照）。一方、ヒンジキャップの欠点として、内容液を注出後、ヒンジキャップを閉じるとき、ヒンジのバネ力によりヒンジ蓋周縁が開口縁を勢い良く叩くため、そこに付着している内容液の残液が周囲に飛び散り、着衣を汚してしまうことがある。
【０００４】
【特許文献１】
実公平２ー２１４０６号公報
【特許文献２】
実公平２ー３２５９９号公報
【特許文献３】
実用新案登録第２５３０１０９号公報
【０００５】
【発明が解決しようとする課題】
上記従来提案されているＴＥ性を有するヒンジキャップは、上蓋の開封に際して上蓋に設けられた係止突起がキャップ本体に設けられた帯片の顎部に係合し、該帯片を破断しない限り上蓋を開くことができないので、帯片の有無を観察することによって上蓋の開閉があったか否かが分かる点で、タンパーエビデンス性を有している。しかしながら、閉蓋状態で上蓋の指掛け片の先端部及び帯片と係止爪との係合部が外部に露出または開放しているので、該係合部を外部より工具等でいたずらされる恐れがあり、該いたずらによっても上蓋が開かないようにするためには、上蓋と帯片との係合突起を大きくして上蓋と帯片とが強く係止するようにしなければならない。そのため、キャップ製造工程で上蓋を閉める際に係合突起が顎部を無理に乗り越えることになり、帯片に大きな張力が作用し、帯片の弱化線が不用意に破断する恐れがあり、生産歩留まり率の向上に不利となる問題点がある。また、特許文献３に示すものは、シール部材をキャップ本体の下端位置まで届くように形成しなければならないため、それだけキャップを形成する樹脂量が多くなりコスト高となる問題がある。さらに、従来のヒンジキャップは、前述のように内容液を注出後、ヒンジキャップを閉じるとき、そこに付着している内容液の残液が周囲に飛び散り、着衣を汚してしまう問題点がある。
【０００６】
本発明は、従来技術の上記問題点を解決しようとするものであり、ヒンジ上蓋を有するキャップにおいて、未開封状態で上蓋の指掛かり片の下面又は先端縁、及び上蓋とタンパーエビデントバンドの係合部に直接触れることができず、上蓋と係合バンドの突起を大きくしなくてもいたずらによる上蓋の開封を確実に防止でき、生産性の歩留まり率を向上させることができ、且つ上蓋が開封されたか否か容易に判別できる未開封証明性に優れ、しかも閉蓋時のキャップ本体外周面に付着している残液の前方への飛散を防止できる上蓋にＴＥ性を付加したヒンジキャップを提供することを目的とする。
【０００７】
【課題を解決するための手段】
前記課題を解決する本発明のヒンジキャップは、容器口に装着されるキャップ本体と該キャップ本体にヒンジ連結された上蓋とからなるヒンジキャップにおいて、前記上蓋のヒンジ連結部と反対側に形成された指掛け片の下面に下方に突出する舌片を設け、且つ前記キャップ本体のスカート壁に、前記スカート壁外周面との間に前記舌片が挿入できる隙間を有するように少なくとも片端部がスカート壁と弱化線を介して連結されているタンパーエビデントバンドを設けてなり、該タンパーエバデントバンドは上部に前記指掛け片に指が掛かるのを邪魔する指掛け片係合邪魔突起を有していることを特徴とするものである。
【０００８】
前記タンパーエビデントバンドは、スカート壁外周面との間で前記舌片が嵌合係止する隙間を形成するための帯状の舌片嵌合係止壁部と、上面が指掛け片下面と同形状に形成された指掛け片座部と、該指掛け片座部の外周部から直立して閉蓋状態で指掛け片の外周面を囲って未開封状態で直接指掛け片に指が係合するのを阻止する指掛け片係合邪魔突起とを有している。そして、前記指掛け片係合邪魔突起に、開蓋時にＴＥバンドを除去する際の摘み部となるタブを設けることによって、開封がより容易となる。さらに、前記舌片は、前記指掛け片の下面に略３０°〜９０°の範囲に渡って円弧状に突出形成され、且つその外周面に前記タンパーエビデントバンドに形成された係合顎部に係止する係止突条が形成され、未開封状態でのいたずら開封防止機能を果たすと共に、開封後の使用段階での上蓋再閉時の残液飛散防止の機能を果たすように構成されている。舌片の設置範囲が３０°以下であると残液飛散防止効果が少なく、また９０°以上であると必要以上に大きくなり、材料の無駄が生じる。
【０００９】
【発明の実施の形態】
以下、本発明の実施形態を図面を基に詳細に説明する。
図１〜図７は、本発明に係るヒンジキャップを示し、図１は容器口部に打栓した状態での未開封状態を示す断面図であり、図２は、一旦上蓋を開け戻した状態（即ち、タンパーエビデントバンド破断除去した状態）を示す断面図である。
本実施形態のヒンジキャップ１は、キャップ本体２と該キャップ本体にヒンジ連結されて一体に形成された上蓋３とからなり、キャップ本体２を容器口４５に打栓することにより装着する構造となっている。キャップ本体２は、天壁４から垂下するスカート壁５を有し、該スカート壁の内周面に容器口外周部に形成されている顎部と係合する容器口係合用環状突起６が形成されている。また、天壁４には容易に破断可能なスコア７に囲われた裂取壁部８を有し、その上面にプルリング９が突出形成され、プルリング９に指を掛けて引っ張ることにより、裂取壁部８を裂取り開口することができる。また、天壁４の上面には裂取壁部８を囲って注出筒１０が形成され、下面には容器口の内周面と係合するインナーリング１１が突出形成されている。さらに、天壁４の外周縁近傍には、後述する上蓋３のスカート壁１８の下端内周縁に形成した環状凹部１４（図４）に係合する上蓋係合用環状突起１２が形成されている。
【００１０】
一方、上蓋３は、キャップ本体２のスカート壁上縁部に、図３に示すように、中央ヒンジ片１５及びその両側に分離して形成された一対の連結片１６を介して開閉自在にヒンジ連結されている。上蓋３はその頂壁１７とスカート壁１８を有し、頂壁１７には、キャップ本体の注出筒１０の内周面に嵌合して注出口を封する役割を果たす注出筒嵌合内筒１９が突出形成されていると共に、前記ヒンジ部と反対側の縁部には指掛け片２０が突出形成されている。
【００１１】
以上の構造は、従来のヒンジキャップと同様な構成であるが、本実施形態のヒンジキャップ１は、キャップ本体２に「いたずら開封防止」と「上蓋未開封の証明」の機能を果たすタンパーエビデントバンド（以下、ＴＥバンドという）２１を設けると共に、上蓋３に「いたずら開封防止」と「上蓋再閉時の付着液飛散防止」の機能を果たす舌片２２を設けたことを特徴とする。
【００１２】
ＴＥバンド２１は、キャップ本体２のヒンジ部と反対側のスカート壁２の外周部に、スカート壁上端から該スカート壁の約３０°〜９０°の範囲、望ましくは閉蓋した状態で上蓋の指掛け片２０が対向する全範囲又は４０°以上に渡ってスカート壁が肉薄となる凹部２３を形成し、該凹部２３に所定間隔をもって対向して両端部が破断可能な弱化部２４、２４で連結されて、スカート壁と一体に成形されている。このＴＥバンド２１は、その断面形状が図１及び図４に明示されているように、スカート壁５の凹部外周壁面２６との間で舌片２２が嵌合係止する隙間を形成するための帯状の舌片嵌合係止壁部２５と、上面が指掛け片２０の下面が完全に載るように指掛け片下面と同形状に形成された指掛け片座部２７、該指掛け片座部２７の外周部から直立して閉蓋状態で指掛け片の外周面を囲って未開封状態で指掛け片の外周縁に直接指が係合するのを阻止する弧状の指掛け片係合邪魔突起２８、及び該指掛け片係合邪魔突起２８の上面の一側に形成された摘み部２９とから構成されている。そして、舌片嵌合係止壁部２５の内周面上部には、舌片の係止突条３１と係合する係合顎部３０が形成されている。
【００１３】
一方、舌片２２は、キャップ本体の前記凹部２３に嵌合するように、上蓋の指掛け片２０の下面から垂下して円弧状に形成され、その外周面に舌片嵌合係止壁部２５の係合顎部３０に係止する係止突条３１が形成されている。図４に示す状態から上蓋３を閉めると、舌片２２の係止突条３１が顎部３０を乗り越え凹部２３に嵌合し、上蓋を開く際に顎部３０に係止することにより、ＴＥバンドを除去しない限り開封することができない。この状態では、舌片２２の係止突条３１とＴＥバンドの顎部３０との係合部は、前記ＴＥバンドの舌片嵌合係止壁部２５で覆われ、且つ上面が指掛け片２０で覆われているので、該係合部に工具等を差込むことはできず、しかも指掛け片２０の前縁も指掛け片係合邪魔突起２８で囲われているので、指掛け片にも指を掛けることができない。したがって、上蓋はＴＥバンドを破断しない限り開くことはできず、確実にＴＥ性を保証することができる。しかも、本発明ではＴＥバンドに指掛け片係合邪魔突起２８を形成して、指掛け片に指が係合するのを邪魔しているので、係止突条３１と顎部３０の係合がきつくなくても、上蓋を不正に開くことは困難である。
【００１４】
なお、本実施形態のヒンジキャップは、打栓キャップであっても使用終了後に容器からキャップを簡単に分離できて分別廃棄できるように、次のような易分別廃棄構造となっている。
即ち、容器本体２のスカート壁５は、図３に示すように、上蓋３がヒンジ連結されている側の一部分（図の実施形態では約半周）に亘って、スカート壁上面から弧状の切り込み３４が形成され、スカート壁の厚さ方向に内周壁部３２と外周壁部３３の二重壁に２分割されている。外周壁部３３には、両ヒンジ連結片１６、１６の両側に位置して、スカート壁上縁からスカート壁下端まで、破断可能な弱化線３６を設け、内周壁部３２には、弱化線３６と対応した位置に下端から環状突起６を超えた位置まで弱化線が延び、ヒンジ部に続く外周壁部が引裂き壁３７となっている。切り込み３４は、両弱化線３６間においては、スカート壁５の下部に連結部３５を残すように形成され、弱化部３６からヒンジ連結部と反対側の領域においては、スカート壁５の下端乃至下端近傍まで延びて形成されている。
【００１５】
したがって、容器を廃棄する場合、上蓋３を開いて外側に引張ると、中央ヒンジ１５、両側のヒンジ連結片１６、１６を介して引裂き壁３７が外側に引張られて、弱化線３６、３６が破断する。次に引裂き壁３７を上方に引張ることにより、その下端の連結部３５を介して、スカート壁の内周壁部３２が下端から外側に引っ張られ、内周壁の弱化線が破断され内周壁部と容器口部との係合が緩み、さらに、引裂き壁３７からヒンジ連結部と反対側に続く外周壁部３３が有端帯状となり、内周壁部３２による保持力が弱くなり、そのまま引っ張ることによってヒンジキャップ１を容器口から外すことができる。従って、ヒンジキャップであっても、使用後の容器口からの分離が容易で、分別廃棄が促進され、資源の再利用が促進される。
【００１６】
本実施形態のヒンジキャップは以上のように構成され、図３及び４に示す状態でキャップ本体２と上蓋３が合成樹脂により一体成形され、型抜き後上蓋３を
ヒンジ部から反転させることにより、舌片２２の係止突条３１が顎部３０を乗り越え凹部２３に嵌合する。また、上蓋３の環状凹部１４とキャップ本体の環状突起１２も係合し、閉蓋状態を維持する。その状態では前述のように、上蓋の指掛け片２０が指掛け片座部２７に載り指掛け片係合邪魔突起２８で囲まれる空間に嵌合し、指掛け片２０の外周面が指掛け片係合邪魔突起２８で囲まれ、且つ底面が指掛け片座部２７に囲まれるから、ＴＥバンド２１を除去しない限り指掛け片２０に直接指を掛けることができない。従って、従来のようにＴＥバンドの突起の係止をきつくするために突起を大きくして、舌片の突起を無理に嵌合させる必要はなく、舌片とＴＥバンドの無理嵌合によるＴＥバンドの弱化部が不用意に破損する事故を少なくすることができ、キャップ製造工程における歩留り率を高めることができる。また、係合突起を小さくすることによって、成形後の型抜きに際して無理抜きが緩和され、型抜きが容易となる利点もある。
【００１７】
閉蓋状態から開蓋するには、タブ２９を摘み外側に引っ張ることによって、タブ寄りの弱化部２４が破断し、ＴＥバンド２１を外側に回動させることができ、指掛け片に自由に指先を係止させることができるように、指掛け片の先端縁部外周の囲いを開放することができる。それと同時に、係合顎部３０も係止突条３１との係止位置から外れるので、指掛け片に指を掛けて上方に持ち上げることによって、容易に上蓋を開けることができる。なお、ＴＥバンド２１を他方の弱化部に張力が作用するように引っ張ることによって、図２に示すように、開封後の使用に邪魔にならないようにＴＥバンド２１をキャップ本体２から完全に除去することができる。ＴＥバンドの片側弱化部の破断した状態またはＴＥバンドが除去された状態では、スカート壁に形成された凹部、及び弱化部の破断状態が目に付き易く、一見して悪戯による上蓋の開封があったことが分かる。そして、開封後の使用において、任意量の内容液注出後に再び上蓋を閉じるに際して、上蓋係止用環状突起１２に上蓋のスカート壁１８が当たる前に舌片２２が上蓋係合用環状突起１２の前方を覆うので、上蓋３を閉じる際のヒンジ部のバネ力により上蓋のスカート壁が勢い良く当接して上蓋係合用環状突起１２の上面に付着している内容液が飛散しても、前方に飛び散ることがなく、使用者の衣服を内容液で汚すのを防止することができる。
【００１８】
以上、本発明の実施形態について説明したが、本発明は前記実施形態に限るものでなく、その技術的思想の範囲で種々の設計変更が可能である。例えば、前記実施形態では、キャップ本体の天壁にプルリングを有するヒンジキャップであったが、必ずしもプルリングを有するものでなく、予め注出口が形成されている形式のヒンジキャップにも適用できることはいうまでもない。また、前記実施形態では、キャップ本体に舌片が嵌合する凹部を形成することによって、スカート壁の材料を節約すると共に、舌片の位置を内容液付着位置により近付けることを可能とし、付着液飛散防止効果を高めたが、必ずしもスカート壁に凹部を形成しなくて、直接スカート壁の外壁面との間に舌片が嵌合するようにしてもよい。
【００１９】
【発明の効果】
以上のように本発明によれば、未開封状態で上蓋の指掛かり片の下面又は先端縁、及び上蓋とタンパーエビデントバンドの係合部に直接触れることができないので、上蓋とＴＥバンドの突起を大きくしなくてもいたずらによる上蓋の開封を確実に防止でき、生産性の歩留まり率を向上させることができ、且つ上蓋が開封されたか否か容易に判別できる未開封証明性に優れ、しかも閉蓋時のキャップ本体外周面に付着している残液が前方に飛散することが防止できる上蓋にＴＥ性を付加したヒンジキャップを得ることができる。
【図面の簡単な説明】
【図１】本発明の実施形態に係る容器口部に打栓した形態での上蓋を閉じて未開封状態を示す断面図である。
【図２】タンパーエビデントバンドを破断除去した状態を示す断面図である。
【図３】本発明の実施形態に係るヒンジキャップの上蓋を開いた状態での平面図である。
【図４】その正面断面図である。
【図５】（ａ）は本発明の実施形態に係るヒンジキャップの容器口部に打栓した状態での未開封状態を示す正面図であり、（ｂ）はその側面図である。
【図６】（ａ）は本発明の実施形態に係るヒンジキャップの容器口部に打栓した状態でのタンパーエビデントバンドを除去した状態を示す正面図であり、ｂ）はその側面図である。
【図７】本発明の実施形態に係るヒンジキャップの容器口部に打栓した状態での上蓋を開いた状態での側面図である。
【符号の説明】
１  ヒンジキャップ                      ２  キャップ本体
３  上蓋                                ４  天壁
５  スカート壁                          ６  容器口係止用環状突起
１０  注出筒                            １２  上蓋係止用環状突起
１４  環状凹部                          １５  中央ヒンジ片
１６  連結片                            １７  頂壁
１８  スカート壁                        １９  注出筒嵌合内筒
２０  指掛け片                          ２１  タンパーエビデントバンド
２２  舌片                              ２３  凹部
２４  弱化部                            ２５  舌片嵌合係止壁
２６  凹部外周面                        ２７  指掛け片座部
２８  指掛け片係合邪魔突起              ２９  タブ
３０  係合顎部                          ３１  係止突条
【図１】
2004155488.tif 000003
【図２】
2004155488.tif 000004
【図３】
2004155488.tif 000005
【図４】
2004155488.tif 000006
【図５】
2004155488.tif 000007
【図６】
2004155488.tif 000008
【図７】
2004155488.tif 000009